(57)【要約】      （修正有）【課題】音響的に不快な違和感をなくし、装用感を向上させる対話聴力補助器を提供する。【解決手段】対話聴力補助器において、スピーカ１５を外耳道孔よりも上側の耳介２０上部に位置する耳溝に設置する。人体の頭部に装着されるフレーム１１を備え、フレームは、前額部又は後頭部から耳介へ向かって延び、スピーカは、フレームの端部に取り付けられている。また、周囲の音を検出して電気信号に変換するマイク１３と、人の声に対応する周波数領域に限定してマイクの電気信号を増幅する増幅部３１がフレームに取りつけられ、スピーカは、増幅部で増幅された電気信号を音に変換して出力する。スピーカの音は、耳溝を通って伝わるため、選択的に言語の高音域が増幅され、聴き取ることができる。【選択図】図１
0003187151.tif 000002
【実用新案登録請求の範囲】
【請求項１】
周囲の音を聞くためのスピーカ（15）を備え、
前記スピーカ（15）は、外耳道孔（27）よりも上側の耳介（20）上部に位置する耳溝（41,42）に隣接して設置されていることを特徴とする、対話聴力補助器。
【請求項２】
前記耳介（20）が有する三角窩（21）に連通する第１耳溝（41）と、対耳輪脚（26）と耳輪脚（24）との間に形成された第２耳溝（42）と、耳輪脚（24）と対珠（29）と耳珠（28）との間に形成された第３耳溝（43）とに至る略Ｓ字状の経路（S）を伝播して音が前記外耳道孔（27）へ伝わるように構成され、
前記スピーカ（15）は、前記第１耳溝（41）又は第２耳溝（42）に隣接して設置されていることを特徴とする、請求項１に記載の対話聴力補助器。
【請求項３】
前記スピーカ（15）は、前記耳介（20）上部と前記耳溝（41,42）とを覆う通音性又は反射性のパッド（16,16b）が設けられていることを特徴とする、請求項１又は２に記載の対話聴力補助器。
【請求項４】
人体の頭部に装着されるフレーム（11,11a〜11e）を備え、
前記フレーム（11,11a〜11e）は、前額部又は後頭部から耳介（20）へ向かって延び、
前記スピーカ（15）は、前記フレーム（11,11a〜11e）の端部に取り付けられていることを特徴とする、請求項１から３の何れか１つに記載の対話聴力補助器。
【請求項５】
周囲の音を検出して電気信号に変換するマイク（13,13a）と、
人の声に対応する周波数領域に限定して前記マイクの電気信号を増幅する増幅部（31）とを備え、
前記スピーカ（15）は、前記増幅部（31）で増幅された電気信号を音に変換して出力することを特徴とする、請求項１から４の何れか１つに記載の対話聴力補助器。
【請求項６】
前記フレーム（11d）は、眼鏡（36）のフレームを兼ねていることを特徴とする、請求項１から５の何れか１つに記載の対話聴力補助器。
【考案の詳細な説明】
【技術分野】
【０００１】
本考案は、高齢者や難聴者の対話聴力を補うため、従来のスピーカを備えた対話聴力補助器の音響力学的改良と装用感の向上に関する考案である。
【背景技術】
【０００２】
従来の補聴器、集音器は、これを大きく分類すると、外耳道孔に本体を押し込む耳栓型と、本体を耳の上に耳かけ式に係止させ、導出するイヤホンを外耳道に挿入固定する型と、箱形「ボックスタイプ」の集音器本体をポケットにしまいこみ、導出するコイルでイヤホンを外耳道に挿入固定する型と、メガネ枠の中に仕込んだ本体より導出するコードによりイヤホンを外耳道に挿入固定する四つのタイプがある。
【０００３】
特許文献１には、メガネのつるの内部にマイク、電源、増幅器、プリント基板などを組み込んだ集音器が開示されている。メガネのつるから導線を引き出してイヤホンと電気的に接続しており、使用者はそのイヤホンを使って周囲の音声を聴くことができる。つると集音器とが一体化しているので、使用者はメガネと集音器とを別々に所持する必要がなくなる。
【０００４】
特許文献２には、メガネと、そのメガネの左右一対のつるの内、少なくとも一方のつるの自由端部の側面に、凹部を形成するものが開示されている。そして、その凹部に脱着自在に集音器本体を装着している。集音器本体には、集音した音声を電気信号に変換するマイクと、前記電気信号を増幅する増幅器と、増幅された前記電気信号を音声信号に変換するイヤホンとが組み込まれている。
【０００５】
特許文献３には、弾性樹脂で形成され、横断面が上下方向に長い陸上競技のトラック型の筒状部材で形成されたホルダー本体を有するものが開示されている。このホルダー本体は、押し広げることにより、内部に集音器本体を収容し、その弾性力によって該集音器本体を保持するようになっている。使用者は集音器本体から導出されたイヤホンを耳へ装着して周囲の音声を聞くようにしている。
【先行技術文献】
【特許文献】
【０００６】
【特許文献１】実開昭６３−０９５３９９号公報
【特許文献２】特開２００６−１６２８７９号公報
【特許文献３】特開２０１３−０４８３１４号公報
【考案の概要】
【考案が解決しようとする課題】
【０００７】
しかしながら、従来の補聴器、集音器の場合、外耳道に本体やイヤホンを直接押し込んで装着するため、一括して増幅されると、外界の妨害音は、塞がった外耳道内でマスキングやフラッターエコー等、不快な違和感や閉塞感が生じることは免れない。また、マイクは全方向性で、特に片耳装着の場合など、音源に対する方向感覚は得難い。また、導出コイル及びボックス本体にマイクが設定されている場合、ハウリングや衣服などの接触音等が雑音となる。更に装用は不安定で落下のおそれがあるため、作業活動は制限されるという問題がある。
【０００８】
本考案は、かかる点に鑑みてなされたものであるが、さらに医療用の場合高価格であるため片側装用を余儀なくされ、電池交換、頻回の着脱、保守に手間がかかることも特に高齢者にとって問題があるため、手軽な仕様で装用感を向上させ、違和感をなくし、対話聴力を上げる課題を解決する。
【課題を解決するための手段】
【０００９】
第１の考案は、周囲の音を聞くためのスピーカ（15）を備え、前記スピーカ（15）は、外耳道孔（27）よりも上側の耳介（20）上部に位置する耳溝（41,42）に隣接して設置された対話聴力補助器である。第１の考案は、スピーカが外耳道孔（27）よりも上側の耳介（20）上部に位置する舟状窩（22）、三角窩（21）及び第１耳溝（41）に隣接された対話聴力補助器を含んでいる。
【００１０】
第１耳溝（41）は、後方側耳輪（図２の23bを参照）と舟状窩（22）で形成されるとされるが、後方側耳輪（23b）は、舟状窩（22）に対し広角で対峙し、前方からの直接音波を、前方に反射させることは出来ても、筒状の溝の中で繰り返し反射させ増幅するという形状ではない。従って、音響力学的に溝音溝とは考えられない。むしろ、後部耳輪は、舟状窩（22）と相まって、前方に高音域波を反射させ三角窩（21）に続く耳溝に向かって音波を伝える構造である。従って、三角窩（21）に続く耳溝が第１耳溝（41）となり、前方側耳輪（図２の23aを参照）が深く溝を覆っています。それは強く折れ曲がり後方に向かって続く対耳輪脚（図２の26を参照）と耳輪脚（図２の24を参照）が構成してやや広くなった第２耳溝（図２の42を参照）に続いている。第２耳溝（42）は後方で対耳輪（図２の25を参照）に大きく覆われ緩やかに湾曲して前方に方向を変え、第３耳溝（図２の43を参照）に移行します。それは、対耳輪脚（26）と対珠（図２の29を参照）によって最大の耳溝を形成し前方を耳珠（図２の28を参照）によって遮られ、直角に内方に屈折させ外耳道孔（図２の27を参照）に伝える。外耳道にも屈曲部があり構音機能によって高域音波を鼓膜に伝える。このＳ字状の凹んだ溝の連続は、初めは狭く湾曲し、屈折しながら次第に胴溝を広げ、最後には大きく弧を描いて湾曲し、最大の広がりとなり高音域レベルを最大に利得する天与の音響力学構造を形成している。これは管楽器のラッパやホルン等の構造により理解できるものである。
【００１１】
音源からの直接音波は、耳介（20）の上部を形成する耳輪に囲まれた舟状窩（22）及び
三角窩（21）で前方に反射される。前方側耳輪（23a）によって深く覆われた狭い第１耳溝（41）に伝搬される。それは後方に強く屈折して方向を変えるが高音域波は正確に屈折反射して、対耳輪脚（26）と耳輪脚（24）との間に形成されたやや広い第２耳溝（42）に伝搬する。それは後方の対耳輪（25）に大きく覆われ、緩く弧を描いて再び前方に方向を変え、対耳輪（25）と対珠（29）による広い第３耳溝（43）に伝わる。その音波は前方を
耳珠（28）に遮られ、直角に内方に方向を変え外耳道孔（27）に達する。その伝搬路は、略Ｓ字状に連続する凹んだ溝を構成しており、それは屈曲、湾曲しながらその胴溝を次第に拡げ、特に周波数の高い高音域は内壁によって反射、屈折、干渉を繰り返し増幅され、前記外耳道孔（27）に伝わる天与の機能形態となっている。この耳溝については、これまで特に関知されることはなく、医学書にも記述や命名は一切見られない。本考案の理念は。新たな概念に基づく特異なものであることにより、スピーカ（15）は、外耳道孔（27）でなく耳介（20）上部に配置されている。
【００１２】
第２の考案は、前記耳介（20）が有する三角窩（21）に連通する第１耳溝（41）と、対耳輪脚（26）と耳輪脚（24）との間に形成された第２耳溝（42）と、耳輪脚（24）と対珠（29）と耳珠（28）との間に形成された第３耳溝（43）とに至る略Ｓ字状の経路（S）を伝播して音が前記外耳道孔（27）へ伝わるように構成され、前記スピーカ（15）は、前記第１耳溝（41）又は第２耳溝（42）に隣接して設置されている。
【００１３】
第３の考案は、前記スピーカ（15）は、前記耳介（20）上部と前記耳溝（41,42）とを覆う通音性又は反射性のパッド（16）が設けられている。
【００１４】
第４の考案は、人体の頭部に装着されるフレーム（11,11a〜11e）を備え、前記フレーム（11,11a〜11e）は、前額部又は後頭部から前記耳介上部（2）へ向かって延び、前記スピーカ（15）は、前記フレーム（11,11a〜11e）の端部に取り付けられている。
【００１５】
第５の考案は、周囲の音を検出して電気信号に変換するマイク（13,13a）と、人の声に対応する周波数領域に限定して前記マイクの電気信号を増幅する増幅部（31）とを備え、前記スピーカ（15）は、前記増幅部（31）で増幅された電気信号を音に変換して出力する。
【００１６】
第６の考案は、前記フレーム（11d）は、眼鏡（36）のフレームを兼ねている。
【考案の効果】
【００１７】
本考案によれば、外耳道孔へ向かって、発語の高域音を伝える機能が、耳介の耳溝にあることに着目し、対話聴力補助器のスピーカを耳介上部の耳溝に設置するようにしたので、従来とは違い、外耳道孔を開放した状態で上述の耳溝からスピーカの音を聞くことができる。これにより、スピーカが外耳道孔を塞ぐ不快な違和感がなくなり、開放された外耳道孔による外界音の自然な聴取は妨げられないので装着感を向上させることができる。
【００１８】
また、第２の考案によれば、従来の耳栓型イヤホンとしての規格仕様で出力を制限されることはなく、ダイナミックスピーカの径を大きくし、難聴の程度により、出力音圧を高め、電話、ＩＴなど情報機器のスピーカに匹敵する最大音響利得を設定することができるので対話機能を向上させることができる。
【００１９】
また、第３の考案によれば、フレームの装用形態、スピーカの規格に応じて通音性パッドや反射面を持ったパッドにより、音が外側へ漏れるのを防ぐことができる。
【００２０】
また、第４の考案によれば、前額部又は後頭部から耳介へ向かって前記頭部の周方向へ延びるフレームにスピーカを取り付けるようにしたので、それを耳介上部の耳溝に固定することができる。
【００２１】
また、第５の考案によれば、マイクは頭部周方向に延びるフレームの前方両方に集音孔を有する指向性のマイクを設置し、ステレオ間隔で対話者の方に自然に顔を向けることにより、相手の発語を効率よく集音することができる。突発的暴力音は、耳栓式やイヤホンでは、密閉された外耳道内に増幅され鼓膜を損傷する恐れがあるが、本考案では、外耳道孔は開放されており、その心配はない。
【００２２】
また、第６の考案によれば、本体のフレームがメガネのフレームを兼ねるようにすれば、対話聴力補助器と眼鏡の両方の機能を得ることができる。この場合、特に女性のファッション眼鏡として本体の装用感を向上できる産業上の利点がある。
【図面の簡単な説明】
【００２３】
【図１】本考案の一実施形態に係る対話聴力補助器を示す図であり、（ａ）が正面図、（ｂ）が側面図、（ｃ）が上面図である。
【図２】耳介とフレーム端部との位置関係を示す図である。
【図３】本考案の一実施形態の変形例１に係る対話聴力補助器を示す側面図である。
【図４】本考案の一実施形態の変形例２に係る対話聴力補助器を示す正面図である。
【図５】本考案の一実施形態の変形例３に係る対話聴力補助器を示す斜視図である。
【図６】本考案の一実施形態の変形例４に係る対話聴力補助器を有する眼鏡の斜視図である。
【図７】変形例４に係る対話聴力補助器を有する眼鏡の側面図である。
【図８】変形例４に係る対話聴力補助器を有する眼鏡の上面図である。
【図９】変形例４に係る対話聴力補助器のスピーカ付近の拡大図である。
【図１０】本考案の一実施形態の変形例５に係る対話聴力補助器を示す側面図である。
【考案を実施するための形態】
【００２４】
以下、本考案の一実施形態を図面に基づいて詳細に説明する。
【００２５】
本考案の一実施形態に係る対話聴力補助器（10）は、図１（ａ）〜（ｃ）に示すように、前額部から両側の耳介（20）へ向かって周方向へ延びる略円弧状のフレーム（11）を備えている。このフレーム（11）には、マイコン（12）と、マイクとしてのマイクロフォン（13）と充電式電池（14）とスピーカ（15）とが内蔵されている（図１（ｂ）を参照）。尚、フレーム（11）の外面には、図示しない充電口が開口している。この充電口へ電源アダプターの充電端子を差し込むことによって充電式電池（14）への充電が可能である。充電式電池（14）の電力が、マイコン（12）、マイクロフォン（13）及びスピーカ（15）へ供給される。マイクロフォン（13）及びスピーカ（15）は、フレーム（11）の左右に１つづつ設けられている。
【００２６】
フレーム（11）は、可撓性材料で形成されている。これにより、フレーム（11）を頭部に装用する際にフレーム（11）自体が適度に内側へ変形し、フレーム（11）が頭部にフィットする。イヤホン型又は耳掛け型のような従来型のものとは違い、使用者の頭部に対話聴力補助器（10）を保持させるので、使用者が運動した場合でも対話聴力補助器（10）がずれ落ちることがない。また、フレーム（11）を髪で隠すことにより、対話聴力補助器（10）の装用を目立ちにくくすることができる。
【００２７】
また、フレーム（11）には、その前額側の左右両側付近に集音孔（19）がそれぞれ形成されている（図１（ａ）を参照）。これらの集音孔（19）は、フレーム（11）の前面に開口している。上述のマイクロフォン（13）は、これらの集音孔（19）を通じて外界の音を検出し、この検出音を電気信号へ変換する。そして、マイクロフォン（13）から出力された電気信号は、上述のマイコン（12）へ入力される。
【００２８】
上述の集音孔（19）が、フレーム（11）の前額側の左右両側付近に形成されているので、使用者が発語者の方へ顔を向けるという自然な動作により、発語者の声を確実に集音することができる。これにより、対話聴力補助器の対話機能を従来よりも向上させることができる。
また、マイクロフォン（13）を指向性のもので構成することにより、集音孔（19）を通じて確実に集音することができる。
【００２９】
マイコン（12）は、対話聴力補助器（10）の動作を制御するものである。このマイコン（12）は、増幅器（31）を有している。この増幅器（31）によって、マイクロフォン（13）の電気信号が必要に応じて増幅される。この増幅量は、図１（ｃ）に示すように、フレーム（11）の側部上面に設置されたボリュームつまみ（18）によって調整される。増幅器（31）から出力された電気信号が、フレーム（11）の両端に配置された上述のスピーカ（15）へ入力される。また、ボリュームつまみ（18）の隣には、対話聴力補助器（10）の電源を入切する電源スイッチ（17）が設けられている。
【００３０】
スピーカ（15）は、フレーム（11）の両端部にそれぞれ配置されている。増幅器（31）から出力された電気信号は、左右両側のスピーカ（15）へ入力される。各スピーカ（15）は、増幅器（31）の電気信号を音へ変換する。この音は、フレーム（11）の両端部内面に配置されたスピーカ（15）の出力面（30）に取り付けられた通音性又は反射性のパッド（16）によって、前記出力面（30）から耳介（20）へ向かって出力される。尚、パッド（16）は、音を反射する反射性を有するものであってもよい。例えば、パッドの内部は通音性が良好な柔らかな素材で形成され、その柔らかな素材の表面を薄革状のレザーで覆い、このレザーで音を反射させるようにしてもよい。
【００３１】
スピーカ（15）は、耳介（20）上部の出力面（30）との間に、その装用状態によって通音性、又は反射性パッド（16）が設けられている。
【００３２】
図２に示すように、耳介（20）は、前方側の耳輪（23a）と対耳輪脚（26）との間の三角窩（21）に連通する第１耳溝（41）と、対耳輪脚（26）と耳輪脚（24）との間に形成される第２耳溝（42）と、耳輪脚（24）と対珠（29）と耳珠（28）との間に形成される第３耳溝（43）とを備えている。第１耳溝（41）と第２耳溝（42）と第３耳溝（43）とが連なって略Ｓ字状の経路（S）が形成される。一実施形態では、スピーカ（15）の出力面（30）が、パッド（16）を介して舟状窩（22）と三角窩（21）とに跨がって押し付けられ、スピーカ（15）の少なくとも一部の出力面（30）が、スピーカ（15）に隣接する第１耳溝（41）を向いている。
【００３３】
スピーカ（15）の音は、第１耳溝（41）へ向かって発せられた後、上述した略Ｓ字状の経路（S）内で反射と屈折とを繰り返しながら、外耳道孔（27）へ伝わる。このように、本願考案者は、外耳道孔（27）へ向かって音（特に、高周波音）を伝える機能が耳溝（41〜43）にあることに着目し、スピーカ（15）の出力面（30）を第１耳溝（41）へ向けるようにした。これにより、従来のものとは違い、外耳道孔（27）を開放した状態で上述の耳溝（41〜43）から伝わるスピーカ（15）の音を聞くことができる。
【００３４】
また、外耳道孔（27）が開放されるので、従来とは違い、外耳道孔（27）を塞ぐことによる圧迫感がなく、使用者の装用感が従来よりも良好となる。
【００３５】
また、スピーカ（15）の音が、耳溝（41〜43）内で反射と屈折とを繰り返すことによって音圧が高まるので、外耳道孔（27）に直接イヤホン等を差し込む場合の一括音声よりも、選択的に言語の高域音波を聴き取ることができる。また、上述したパッド（16）により、耳介上部が覆われるので、スピーカ（15）の音声が効率的に第１耳溝（41）へ向けて発せられる。
【００３６】
具体的に、スピーカ（15）の音波は、耳介（20）の上部に形成された耳輪（23a,23b）に囲まれた舟状窩（22）及び三角窩（21）で使用者の前方へ反射される。前方へ反射された音波は、前方側の耳輪（23a）によって深く覆われた第１耳溝（41）へ伝播される。この音波は、後方下側へ強く屈曲して方向を変えるが、この音波のうち高音域波は正確に屈折反射して、対耳輪脚（26）と耳輪脚（24）との間に形成されたやや広い第２耳溝（42）へ伝播される。この音波は、後方の対耳輪（25）の縁に沿って緩やかに弧を描くように屈曲して前方に方向を変え、耳輪脚（24）と対珠（29）と耳珠（28）との間に形成される第３耳溝（43）に伝播される。この音波は、耳珠（28）に遮られて、直角に内方へ方向を変え、外耳道孔（27）へ達する。このようなＳ字状の経路（S）において、特に周波数の高い高音域の音波が増幅され、外耳道孔（27）に伝わる天与の機能形態となっている。これらの耳溝（41,42,43）の効果については、これまで特に関知されることはなく、医学書等にも記述がなく、本考案は、新たな知見に基づく特異なものである。
【００３７】
また、マイコン（12）の増幅器（31）において、人の声に対応する周波数領域に限定して増幅させるように構成してもよい。従来のイヤホン型の場合、外耳道孔（27）がイヤホンで塞がれるため、人の声に対応する周波数領域に限定して増幅させてしまうと、外界の自然音が増幅されずに聞き取りにくくなるが、本実施形態１の場合、外耳道孔（27）が開放されているため、外界の自然音が聞き取りにくくなることがない。
【００３８】
また、従来のイヤホン型の場合、人の声に対応する周波数領域に限定して増幅しないので、突発的に生じた大きな自然音も増幅して使用者へ伝えられる。このため、大きな自然音により、使用者が鼓膜を痛めてしまうという事態が生じてしまう。上述したように、人の声に対応する周波数領域に限定して増幅させるように増幅器（31）を構成すれば、突発的な大きい自然音が増幅されないので、使用者が鼓膜を痛めてしまうことがない。このような自然音は、開放された外耳道孔（27）によって自然に聞くことが可能である。
【００３９】
（一実施形態の変形例１）
変形例１の対話聴力補助器（10a）と上述の一実施形態との違いは、図３に示すように、フレーム（11a）が後頭部から両側の耳介（20）へ向かって周方向へ延びる略円弧状に形成される点と、フレーム（11）の端部から使用者の前方へ向かってマイクロフォン（13a）が延びている点である。フレーム（11a）が後頭部側に配置されるので、使用者を正面から見たときに対話聴力補助器（10a）が目立たないようにすることができる。また、上述の一実施形態に比べて、対話聴力補助器（10a）を髪で隠しやすくすることができ、この場合には、使用者の側面、背面から見たときでも、対話聴力補助器（10a）が目立たないようにすることができる。
【００４０】
（一実施形態の変形例２）
変形例２の対話聴力補助器（10b）と上述の一実施形態との違いは、図４に示すように、フレーム（11b）の前面側中央部（33）を鼻の上部へ向かって下側へ湾曲させ、この湾曲部分を鼻の上部で保持させるようにしている点である。これにより、フレーム（11b）の前面側が下側へずれ落ちるのを防ぐことができる。
【００４１】
（一実施形態の変形例３）
変形例３の対話聴力補助器（10c）と、上述の一実施形態、変形例１及び変形例２との違いは、図５に示すように、フレーム（11c）の端部（34）を内側へ突出させ、この突出部分のうち使用者の前方側の面（35）にスピーカ（15）の出力面（30）を形成した点である。フレーム（11）を装着する際には、この突出部分が耳介（20）の三角窩（21）に嵌まり込むようにする。
【００４２】
これにより、上述の一実施形態、変形例１及び変形例２の場合には、スピーカ（15）の出力面（30）が耳介（20）の三角窩（21）に対面していたが、変形例３の場合には、スピーカ（15）の出力面（30）が三角窩（21）の面方向へ沿う向きに配置される。この結果、上述の一実施形態とは違い、スピーカ（15）の音が上述した耳介（20）の略Ｓ字状の経路（S）へ進入しやすくなり、音がこの経路（S）へ進入する際の音漏れが減少し、音圧を上げなくてもスピーカ（15）の音を聞くことができる。また、スピーカ（15）の出力面（30）よりも前方には、湾曲状の反射性のパッド（16b）が設けられている。このパッド（16b）により、音が周囲に漏れるのを防ぐことができる。
【００４３】
（一実施形態の変形例４）
変形例４の対話聴力補助器（10d）と、上述の一実施形態、変形例１から変形例３との違いは、図６から図９に示すように、対話聴力補助器（10d）のフレーム（11d）が眼鏡（36）のフレームを兼ねている点である。以下、相違点について説明する。フレーム（11d）の端部は、耳よりも外側の外側分岐部（37）と、耳よりも内側の内側分岐部（38）とに分岐し、外側分岐部（37）の内面に対話聴力補助器（10d）のスピーカ（15）が取り付けられている。このフレーム（11d）を頭部に装着することによって、対話聴力補助器（10d）と眼鏡（36）の両方の機能を得ることができる。
【００４４】
（一実施形態の変形例５）
変形例５の対話聴力補助器（10e）と、上述の一実施形態との違いは、図１０に示すように、対話聴力補助器（10e）のフレーム（11e）を眼鏡のフレーム（50）に保持するための保持部（38）が形成されている点である。この保持部に眼鏡のフレーム（50）を挟み込むことによって、対話聴力補助器（10e）のフレーム（11e）が眼鏡のフレーム（50）に保持される。このように、眼鏡のフレーム（50）を利用して対話聴力補助器（10e）のフレーム（11e）を保持することにより、上述した一実施形態とは違い、対話聴力補助器（10e）のフレーム（11e）を頭部へ固定する際の締付力を低減することができ、使用者の装用感が良好になる。
【００４５】
（その他の実施の形態）
一実施形態の対話聴力補助器（10）を補聴器や集音器として用いてもよい。この場合であっても、一実施形態と同様の効果を得ることができる。
【００４６】
一実施形態では、耳介上部（2）の舟状窩（22）及び三角窩（21）に跨ってスピーカ（15）の出力面（30）が配置されていたが、これに限定されず、外耳道孔（27）を避けた上部の第２耳溝（42）に配置されてもよい。この場合であっても、一実施形態と同様の効果を得ることができる。
【００４７】
また、一実施形態では、頭部に装着されるフレーム（11）にスピーカ（15）を内蔵した形態のものであったが、これに限定されず、例えば、上述した耳掛け型やポケット型のものであってもよい。この場合でも、スピーカ（15）は、外耳道孔（27）よりも上側の耳溝（41,42）に隣接して設置すれば、スピーカ（15）の出力音を耳溝（41,42,43）内を経由して前記外耳道孔（27）へ伝播させることができる。
【００４８】
また、一実施形態では、フレームの装用形態に応じて、通音性パッドや反射面を有するパッドにより、音が外側へ漏れるのを防ぐことができる。
【００４９】
尚、上述した実施の形態は、本質的に好ましい例示であって、本考案、その適用物、あるいはその用途の範囲を制限することを意図するものではない。
【産業上の利用可能性】
【００５０】
以上、説明したように、本考案は、スピーカを備えた対話聴力補助器について有用である。
【符号の説明】
【００５１】
１０    対話聴力補助器
１１    フレーム
１２    マイコン
１３    マイクロフォン
１４    充電式電池
１５    スピーカ
１６    パッド
１７    電源スイッチ
１８    ボリュームつまみ
１９    集音孔
２０    耳介
２１    三角窩
２２    舟状窩
２３ａ、２３ｂ    耳輪
２４    耳輪脚
２５    対耳輪
２６    対耳輪脚
２７    外耳道孔
２８    耳珠
２９    対珠
３０    出力面
３１    増幅器
４１    第１耳溝
４２    第２耳溝
４３    第３耳溝
【図１】
0003187151.tif 000003
【図３】
0003187151.tif 000004
【図４】
0003187151.tif 000005
【図５】
0003187151.tif 000006
【図６】
0003187151.tif 000007
【図７】
0003187151.tif 000008
【図８】
0003187151.tif 000009
【図９】
0003187151.tif 000010
【図１０】
0003187151.tif 000011
【図２】
0003187151.tif 000012
【手続補正書】
【提出日】平成25年9月11日(2013.9.11)
【手続補正１】
【補正対象書類名】実用新案登録請求の範囲
【補正対象項目名】全文
【補正方法】変更
【補正の内容】
【実用新案登録請求の範囲】
【請求項１】
周囲の音を聞くためのスピーカ（15）と、
人体の頭部に装着され且つ人体の前額部又は後頭部から耳介へ向かって前記頭部の周方向へ延びる形状のフレーム（11,11a〜11e）とを備え、
前記スピーカ（15）は、外耳道孔（27）よりも上側の耳介（20）上部に位置する耳溝（41,42）に隣接するように、前記フレーム（11,11a〜11e）の端部に取り付けられていることを特徴とする、対話聴力補助器。
【請求項２】
前記スピーカ（15）は、前記耳介（20）が有する三角窩（21）に連通する第１耳溝（41）、又は前記耳介（20）が有する対耳輪脚（26）と耳輪脚（24）との間に形成された第２耳溝（42）に隣接するように、前記フレーム（11,11a〜11e）の端部に取り付けられていることを特徴とする、請求項１に記載の対話聴力補助器。
【請求項３】
前記スピーカ（15）は、前記耳介（20）上部と前記耳溝（41,42）とを覆う通音性又は反射性のパッド（16,16b）が設けられていることを特徴とする、請求項１又は２に記載の対話聴力補助器。
【請求項４】
周囲の音を検出して電気信号に変換するマイク（13,13a）と、
前記マイク（13,13a）が電気的に接続され且つ人の声に対応する周波数領域に限定して前記マイクの電気信号を増幅した後に前記電気信号を前記スピーカ（15）へ出力する増幅部（31）とが前記フレーム（11,11a〜11e）に取り付けられ、
前記スピーカ（15）は、前記増幅部（31）の電気信号を音に変換して出力するように、前記増幅部（31）に電気的に接続されていることを特徴とする、請求項１から３の何れか１つに記載の対話聴力補助器。
【請求項５】
前記フレーム（11d）は、眼鏡（36）のフレームを兼ねていることを特徴とする、請求項１から４の何れか１つに記載の対話聴力補助器。